(57)【要約】【課題】異常判定のための専用のセンサなどを付加することなく、バイパス弁の異常判定を適切に行うことができる内燃機関のＥＧＲ装置を提供する。【解決手段】ＥＧＲガスを還流させるためのＥＧＲ通路９と、ＥＧＲ通路９に設けられたＥＧＲ弁１０と、ＥＧＲ通路９に設けられたＥＧＲクーラ１１と、ＥＧＲクーラ１１をバイパスするバイパス通路１２と、ＥＧＲ通路９およびバイパス通路１２を流れるＥＧＲガスの流量比を調整するためのバイパス弁１３と、吸気系４の温度ＴＡを検出する温度検出手段３２と、ＥＧＲ弁１０を所定の開度に開いた状態において、バイパス弁駆動手段１３ａによりバイパス弁１３を開弁および閉弁するように駆動したときに温度検出手段によってそれぞれ検出された温度Ｔ２，Ｔ１，ΔＴＡをパラメータとして、バイパス弁１３の異常を判定するバイパス弁異常判定手段２と、を備える。【選択図】図２
2006291921.tif 000002
【特許請求の範囲】
【請求項１】
内燃機関から排出された排ガスの一部を吸気系にＥＧＲガスとして還流させる内燃機関のＥＧＲ装置であって、
前記ＥＧＲガスを還流させるためのＥＧＲ通路と、
当該ＥＧＲ通路に設けられ、ＥＧＲガス量を調整するためのＥＧＲ弁と、
前記ＥＧＲ通路に設けられ、当該ＥＧＲ通路を流れるＥＧＲガスを冷却するためのＥＧＲクーラと、
前記ＥＧＲ通路の前記ＥＧＲクーラよりも上流側から分岐し、前記ＥＧＲクーラをバイパスするバイパス通路と、
前記ＥＧＲ通路および前記バイパス通路を流れるＥＧＲガスの流量比を調整するためのバイパス弁と、
当該バイパス弁を駆動するバイパス弁駆動手段と、
前記吸気系の温度を検出する温度検出手段と、
前記ＥＧＲ弁を所定の開度に開いた状態において、前記バイパス弁駆動手段により前記バイパス弁を開弁および閉弁するように駆動したときに前記温度検出手段によってそれぞれ検出された温度をパラメータとして、前記バイパス弁の異常を判定するバイパス弁異常判定手段と、
を備えることを特徴とする内燃機関のＥＧＲ装置。
【請求項２】
前記吸気系には、吸入空気量を調整するための吸気絞り弁が設けられ、
前記温度検出手段は、前記吸気絞り弁よりも下流側に配置されており、
前記バイパス弁異常判定手段は、前記吸気絞り弁を絞った状態で、前記異常判定を実行することを特徴とする、請求項１に記載の内燃機関のＥＧＲ装置。
【請求項３】
前記内燃機関が減速運転中であるか否かを判定する減速運転判定手段をさらに備え、
前記バイパス弁異常判定手段は、前記内燃機関が減速運転中であると判定されたときに、前記異常判定を実行することを特徴とする、請求項１または２に記載の内燃機関のＥＧＲ装置。
【発明の詳細な説明】
【技術分野】
【０００１】
本発明は、内燃機関から排出された排ガスの一部を吸気系にＥＧＲガスとして還流させる内燃機関のＥＧＲ装置に関する。
【背景技術】
【０００２】
従来のこの種の内燃機関のＥＧＲ装置として、例えば特許文献１に開示されたものが知られている。このＥＧＲ装置では、排気管と吸気管をつなぐＥＧＲ通路に、ＥＧＲガスを冷却するＥＧＲクーラと、このＥＧＲクーラをバイパスするバイパス通路が設けられている。ＥＧＲ通路とバイパス通路の分岐部には、これらの通路を流れるＥＧＲガスの流量比を調整するバイパス弁が設けられている。ＥＧＲ通路には、バイパス通路との合流部よりも下流側に、ＥＧＲガス量を調整するＥＧＲ弁が設けられている。また、吸気管には、上流側から順に、エアクリーナ、吸入空気量を検出するエアフローメータ、および吸入空気量を調整する吸気絞り弁が設けられている。
【０００３】
このＥＧＲ装置では、内燃機関の減速運転中に、バイパス弁の異常判定が次のようにして行われる。まず、吸気絞り弁およびＥＧＲ弁をともに全開状態に制御するとともに、バイパス弁を全開状態に制御することによって、ＥＧＲ通路を遮断し、バイパス通路を開放する。これにより、ＥＧＲガスは、バイパス通路を介して吸気管に還流し、このときのエアフローメータの検出値を全開時実吸入空気量Ｇａｏｐとして求める。次に、バイパス弁を全閉状態に制御することによって、ＥＧＲ通路を開放し、バイパス通路を遮断する。これにより、ＥＧＲガスは、ＥＧＲクーラによって冷却された後、吸気管に還流し、このときのエアフローメータの検出値を全閉時実吸入空気量Ｇａｃｌとして求める。
【０００４】
また、内燃機関の回転数ＮＥに応じて、バイパス弁が正常であるときのバイパス弁の全開時および全閉時における吸入空気量を、正常時全開吸入空気量Ｂａｓｅｏｐおよび正常時全閉吸入空気量Ｂａｓｅｃｌとして、それぞれ算出する。そして、全開時実吸入空気量Ｇａｏｐと全閉時実吸入空気量Ｇａｃｌが互いに異なり、かつ全開時実吸入空気量Ｇａｏｐと正常時全開吸入空気量Ｂａｓｅｏｐ、および全閉時実吸入空気量Ｇａｃｌと正常時全閉吸入空気量Ｂａｓｅｃｌが、いずれも互いにほぼ等しいときには、バイパス弁が正常であると判定し、それ以外のときには、バイパス弁が全開、全閉または中間位置のいずれかで固着していて、異常が生じていると判定する。
【０００５】
しかし、吸気管に実際に吸入される空気量は、ＥＧＲガス量だけでなく、内燃機関のピストンの往復運動に伴う吸気の脈動やエアクリーナの詰まりなどによっても、変化する。これに対して、従来のＥＧＲ装置では、バイパス弁の異常判定を、全開時実吸入空気量Ｇａｏｐおよび全閉時実吸入空気量Ｇａｃｌに基づいて、実行する。このため、例えば、バイパス弁が正常であるにもかかわらず、上述した吸気の脈動やエアクリーナの詰まりなどの影響によって、全開時実吸入空気量Ｇａｏｐと全閉時実吸入空気量Ｇａｃｌが等しくなる場合があり、その場合には、バイパス弁に異常が生じていると誤判定してしまう。これとは逆に、バイパス弁に異常が生じているにもかかわらず、全開時実吸入空気量Ｇａｏｐと全閉時実吸入空気量Ｇａｃｌが異なる場合があり、その場合には、バイパス弁が正常であると誤判定してしまう。
【０００６】
また、このＥＧＲ装置では、バイパス弁の異常判定が、内燃機関の減速運転中に、吸気絞り弁を全開にした状態で実行される。このため、排気管に触媒が設けられている場合には、吸気絞り弁を介して吸入された多量の空気によって触媒が冷却され、エミッションの悪化を招いてしまう。
【０００７】
また、バイパス弁の異常判定の他の手法として、例えば、バイパス弁の開閉状態をセンサやスイッチなどで直接、検出することが考えられるが、その場合には、異常判定のための専用のセンサなどを付加する必要があり、製造コストが上昇する。また、付加したセンサなどの異常判定も併せて行うことが必要になるため、判定が煩雑になってしまう。
【０００８】
本発明は、このような課題を解決するためになされたものであり、異常判定のための専用のセンサなどを付加することなく、バイパス弁の異常判定を適切に行うことができる内燃機関のＥＧＲ装置を提供することを目的とする。
【０００９】
【特許文献１】特開２００３−２４７４５９号公報
【発明の開示】
【課題を解決するための手段】
【００１０】
この目的を達成するために、請求項１に係る発明は、内燃機関３から排出された排ガスの一部を吸気系（実施形態における（以下、本項において同じ）吸気管４）にＥＧＲガスとして還流させる内燃機関３のＥＧＲ装置１であって、ＥＧＲガスを還流させるためのＥＧＲ通路９と、ＥＧＲ通路９に設けられ、ＥＧＲガス量を調整するためのＥＧＲ弁１０と、ＥＧＲ通路９に設けられ、ＥＧＲ通路９を流れるＥＧＲガスを冷却するためのＥＧＲクーラ１１と、ＥＧＲ通路９のＥＧＲクーラ１１よりも上流側から分岐し、ＥＧＲクーラ１１をバイパスするバイパス通路１２と、ＥＧＲ通路９およびバイパス通路１２を流れるＥＧＲガスの流量比を調整するためのバイパス弁１３と、バイパス弁１３を駆動するバイパス弁駆動手段（バイパス弁アクチュエータ１３ａ）と、吸気系の温度（吸気温ＴＡ）を検出する温度検出手段（吸気温センサ３２）と、ＥＧＲ弁１０を所定の開度に開いた状態において、バイパス弁駆動手段によりバイパス弁１３を開弁および閉弁するように駆動したときに温度検出手段によってそれぞれ検出された温度（全開温度Ｔ２，全閉温度Ｔ１および吸気温変化量ΔＴＡ）をパラメータとして、バイパス弁１３の異常を判定するバイパス弁異常判定手段（ＥＣＵ２，図３のステップ２５，２６，２８）と、を備えることを特徴とする。
【００１１】
この内燃機関のＥＧＲ装置によれば、ＥＧＲ通路に設けたＥＧＲ弁によって、吸気系に還流するＥＧＲガス量が調整されるとともに、バイパス弁をバイパス弁駆動手段で駆動することによって、ＥＧＲ通路とバイパス通路を流れるＥＧＲガスの流量比が調整される。ＥＧＲガスは、ＥＧＲ通路を流れる際には、ＥＧＲ通路に設けたＥＧＲクーラを通過した後、吸気系に還流し、バイパス通路を流れる際には、ＥＧＲクーラを通過することなく、そのまま吸気系に還流する。また、バイパス弁異常判定手段は、ＥＧＲ弁を所定の開度に開いた状態で、バイパス弁駆動手段によってバイパス弁を開弁および閉弁するように駆動したときに検出された吸気系の温度をパラメータとして、バイパス弁の異常判定を実行する。
【００１２】
以上のように、ＥＧＲガスは、バイパス弁を閉じたときには、ＥＧＲクーラを通過した後、バイパス弁を開いたときには、ＥＧＲクーラを通過することなく、吸気系に還流する。このため、バイパス弁が正常であれば、バイパス弁の閉時と開時では、吸気系に還流するＥＧＲガスの温度が異なり、吸気系の温度は、その開閉駆動に応じて所定の範囲で変化する。本発明によれば、バイパス弁駆動手段によりバイパス弁を開閉するように駆動したときの吸気系の温度をパラメータとして、バイパス弁の異常を判定するので、例えば、そのようなバイパス弁の開閉駆動に伴って吸気系の温度が所定の範囲で変化していないときに、異常であると判定できる。また、吸気系の温度をパラメータとしてバイパス弁の異常判定を行うので、吸入空気量をパラメータとする従来のＥＧＲ装置と異なり、吸気系の脈動やエアクリーナの詰まりなどの影響を受けることなく、異常判定を適切に行うことができる。また、温度検出手段として、例えば、内燃機関を制御するために通常、設けられている既存の吸気温センサを利用することが可能になり、それにより、異常判定のための専用のセンサなどを付加する必要がなくなるので、製造コストを削減することができる。
【００１３】
請求項２に係る発明は、請求項１に記載の内燃機関３のＥＧＲ装置１において、吸気系には、吸入空気量ＱＡを調整するための吸気絞り弁８が設けられ、温度検出手段は、吸気絞り弁８よりも下流側に配置されており、バイパス弁異常判定手段は、吸気絞り弁８を絞った状態で、異常判定を実行する（図２のステップ４）ことを特徴とする。
【００１４】
この構成によれば、温度検出手段は吸気絞り弁よりも下流側に配置されており、この吸気絞り弁を絞った状態で異常判定を実行する。このため、吸気絞り弁よりも上流側からの吸気系の温度への影響を確実に排除しながら、バイパス弁の開閉動作による吸気系の温度変化をパラメータとして、異常判定をより精度良く行うことができる。
【００１５】
請求項３に係る発明は、請求項１または２に記載の内燃機関３のＥＧＲ装置１において、内燃機関３が減速運転中であるか否かを判定する減速運転判定手段（ＥＣＵ２，図２のステップ１）をさらに備え、バイパス弁異常判定手段は、内燃機関３が減速運転中であると判定されたときに、異常判定を実行することを特徴とする。
【００１６】
この構成によれば、バイパス弁の異常判定を、内燃機関の減速運転中に実行するので、燃焼によるＥＧＲ温度の上昇の影響などを確実に排除しながら、バイパス弁の開閉動作による吸気系の温度変化をパラメータとして、異常判定をより精度良く行うことができる。また、この場合、請求項２のように吸気絞り弁を絞ることによって、排気系への冷たい空気の流入を抑制できる。したがって、排気系に触媒が設けられている場合でも、触媒の冷却を抑制でき、それにより、エミッションの悪化を防止することができる。
【発明を実施するための最良の形態】
【００１７】
以下、図面を参照しながら、本発明の好ましい実施形態を、詳細に説明する。図１は、本発明の実施形態によるＥＧＲ装置１、およびこれを適用した内燃機関の概略構成を示している。この内燃機関（以下「エンジン」という）３は、車両（図示せず）に搭載された、例えば４気筒（１つのみ図示）のディーゼルエンジンである。
【００１８】
エンジン３のピストン３ａとシリンダヘッド３ｂの間には、燃焼室３ｃが形成されている。シリンダヘッド３ｂには、吸気管４（吸気系）および排気管５がそれぞれ接続されるとともに、燃料噴射弁（以下「インジェクタ」という）６が、燃焼室３ｃに臨むように取り付けられている。
【００１９】
インジェクタ６は、燃焼室３ｃの天壁中央部に配置されており、コモンレールを介して、高圧ポンプおよび燃料タンク（いずれも図示せず）に順に接続されている。インジェクタ６の開弁時間である燃料噴射量および噴射タイミングは、ＥＣＵ２からの駆動信号によって制御される。
【００２０】
また、エンジン３のクランクシャフト３ｄには、マグネットロータ３０ａが取り付けられており、このマグネットロータ３０ａとＭＲＥピックアップ３０ｂによって、クランク角センサ３０が構成されている。クランク角センサ３０は、クランクシャフト３ｄの回転に伴い、パルス信号であるＣＲＫ信号およびＴＤＣ信号をＥＣＵ２に出力する。
【００２１】
ＣＲＫ信号は、所定のクランク角（例えば３０゜）ごとに出力される。ＥＣＵ２は、このＣＲＫ信号に基づき、エンジン３の回転数（以下「エンジン回転数」という）ＮＥを求める。ＴＤＣ信号は、各気筒のピストン３ａが吸気行程開始時のＴＤＣ（上死点）付近の所定クランク角度位置にあることを表す信号であり、４気筒タイプの本例では、クランク角１８０゜ごとに出力される。
【００２２】
吸気管４には、上流側から順に、水冷式のインタークーラ７、および吸入空気量を調整するための吸気絞り弁８が設けられている。インタークーラ７は、過給装置（図示せず）の過給動作により吸入空気の温度が上昇したときなどに、吸入空気を冷却する。吸気絞り弁８には、例えば直流モータで構成されたアクチュエータ８ａが接続されている。吸気絞り弁８の開度は、アクチュエータ８ａに供給される電流のデューティ比をＥＣＵ２で制御することによって、制御される。
【００２３】
また、吸気管４には、インタークーラ７よりも上流側にエアフローセンサ３１が、吸気絞り弁８よりも下流側に吸気温センサ３２（温度検出手段）および吸気圧センサ３３が、それぞれ設けられている。エアフローセンサ３１は吸入空気量ＱＡを検出し、吸気温センサ３２は吸気管４内に吸入される吸入空気の温度（以下「吸気温」という）ＴＡを検出し、吸気圧センサ３３は吸気圧ＰＢＡを絶対圧として検出し、それらの検出信号はＥＣＵ２に出力される。
【００２４】
また、吸気管４と排気管５の間には、ＥＧＲ通路９が接続されている。ＥＧＲ通路９は、排気管５と吸気管４の吸気絞り弁８よりも下流側とをつなぐように接続されている。このＥＧＲ通路９を介して、エンジン３の排ガスの一部がＥＧＲガスとして吸気管４に還流し、それにより、燃焼室３ｃ内の燃焼温度が低下することによって、排ガス中のＮＯｘが低減される。
【００２５】
また、ＥＧＲ通路９には、上流側から順に、ＥＧＲ弁１０、およびＥＧＲガスを冷却するためのＥＧＲクーラ１１が設けられている。ＥＧＲ弁１０は、リニア電磁弁で構成されており、そのバルブリフト量が、ＥＣＵ２からのデューティ制御された駆動信号で制御されることによって、ＥＧＲガスの還流量（以下「ＥＧＲ量」という）が制御される。また、ＥＧＲクーラ１１は、エンジン３の冷却水を利用した水冷式のものである。
【００２６】
また、ＥＧＲ通路９にはバイパス通路１２が設けられている。このバイパス通路１２は、一端部がＥＧＲ通路９のＥＧＲ弁１０とＥＧＲクーラ１１の間から分岐するとともに、他端部がＥＧＲ通路９のＥＧＲクーラ１１よりも下流側に合流しており、ＥＧＲクーラ１１をバイパスしている。さらに、ＥＧＲ通路９とバイパス通路１２との分岐部には、バイパス弁１３が設けられており、バイパス弁１３には、これを駆動するバイパス弁アクチュエータ１３ａ（バイパス弁駆動手段）が接続されている。バイパス弁１３の開度は、ＥＣＵ２からのデューティ制御された駆動信号により、バイパス弁アクチュエータ１３ａを介して、全閉開度と全開開度の間で可変に制御され、それにより、ＥＧＲ通路９およびバイパス通路１２を流れるＥＧＲガスの流量比が調整される。
【００２７】
以上のバイパス弁１３の制御により、ＥＧＲガスは、ＥＧＲ通路９に通された場合には、ＥＧＲクーラ１１で冷却された後、バイパス通路１２に通された場合には、冷却されることなく、吸気管４に還流する。
【００２８】
また、排気管５のＥＧＲ通路９よりも下流側には、触媒装置１４が設けられている。この触媒装置１４は、三元触媒とＮＯｘ触媒（ともに図示せず）を組み合わせたものであり、この三元触媒は、ストイキ雰囲気下において、排ガス中のＨＣおよびＣＯを酸化するとともに、ＮＯｘを還元することによって、排ガスを浄化する。一方、ＮＯｘ触媒は、酸素濃度が高い場合において、排ガス中のＮＯｘを捕捉するとともに、捕捉したＮＯｘを還元することによって、排ガスを浄化する。
【００２９】
さらに、ＥＣＵ２には、水温センサ３４から、エンジン３のシリンダブロック（図示せず）内を循環する冷却水の温度（以下「エンジン水温」という）ＴＷを表す検出信号が、アクセル開度センサ３５から、アクセルペダル（図示せず）の操作量（以下「アクセル開度ＡＰ」という）を表す検出信号が、それぞれ出力される。
【００３０】
ＥＣＵ２（バイパス弁異常判定手段および減速運転判定手段）は、Ｉ／Ｏインターフェース、ＣＰＵ、ＲＡＭおよびＲＯＭなどからなるマイクロコンピュータで構成されている。前述した各種センサ３０〜３５からの検出信号はそれぞれ、Ｉ／ＯインターフェースでＡ／Ｄ変換や整形がなされた後、ＣＰＵに入力される。
【００３１】
ＣＰＵは、これらの入力信号に応じ、ＲＯＭに記憶された制御プログラムなどに従って、エンジン３の運転状態を判別するとともに、判別した運転状態に応じ、ＥＧＲ弁１０およびバイパス弁１３のバイパス弁アクチュエータ１３ａに駆動信号を出力することによって、ＥＧＲ量と、ＥＧＲ通路９およびバイパス通路１２を流れるＥＧＲガスの流量比を、それぞれ制御するとともに、バイパス弁１３の異常判定処理を実行する。
【００３２】
図２および図３は、このバイパス弁１３の異常判定処理のフローチャートを示している。本処理は、所定時間ごとに実行される。本処理では、まず、ステップ１（「Ｓ１」と図示。以下同じ）において、エンジン３が減速運転中であるか否かを判別する。具体的には、インジェクタ６の燃料噴射量およびアクセル開度ＡＰがいずれも０のときに、エンジン３が減速運転中であると判別される。この判別結果がＮＯで、エンジン３が減速運転中でないときには、異常判定を実行することなく、そのまま本処理を終了する。このように、異常判定は、エンジン３が減速運転中であることを条件として、実行される。
【００３３】
一方、前記ステップ１の判別結果がＹＥＳで、エンジン３が減速運転中のときには、異常判定の他の実行条件が成立しているか否かを判別する（ステップ２）。この実行条件は、検出されたエンジン回転数ＮＥ、吸気温ＴＡ、エンジン水温ＴＷおよび吸気圧ＰＢＡがいずれも、それぞれの所定の範囲内にあるときに、成立していると判別される。この判別結果がＮＯで、実行条件が成立していないときには、本処理を終了する。一方、前記ステップ２の判別結果がＹＥＳのときには、異常判定の実行条件が成立しているとして、判定中フラグＦ＿ＢＰＡが「１」であるか否かを判別する（ステップ３）。この判定中フラグＦ＿ＢＰＡは、後述するように、異常判定の実行中に「１」にセットされるものである。
【００３４】
このステップ３の判別結果がＮＯのとき、すなわち今回が、異常判定の実行条件が成立した後の最初のループに相当するときには、吸気絞り弁８を全閉状態に制御する（ステップ４）とともに、ＥＧＲ弁１０を全開状態に制御する（ステップ５）。そして、異常判定の実行中であることを表すために、判定中フラグＦ＿ＢＰＡを「１」にセットした（ステップ６）後、ステップ７に進む。また、異常判定の実行条件が成立した２回目以降のループでは、前記ステップ６の実行により、前記ステップ３の判別結果がＹＥＳになり、その場合には、ステップ７に直接、進む。
【００３５】
このステップ７では、全閉モード終了フラグＦ＿ＢＰが「１」であるか否かを判別し、その判別結果がＮＯのときには、バイパス弁全閉フラグＦ＿ＢＰＣが「１」であるか否かを判別する（ステップ８）。
【００３６】
この判別結果がＮＯのときには、ステップ９において、バイパス弁アクチュエータ１３ａに駆動信号を出力することによって、バイパス弁１３を全閉状態に制御する（以下「全閉制御」という）とともに、バイパス弁全閉フラグＦ＿ＢＰＣを「１」に、バイパス弁全開フラグＦ＿ＢＰＯを「０」に、それぞれセットする（ステップ１０）。次に、バイパス弁１３の全閉制御を開始した後の経過時間（以下「全閉時間」という）ＴＢＰＣを計測するためのアップカウント式のタイマ（図示せず）をスタートさせた（ステップ１１）後、本処理を終了する。また、前記ステップ１０が実行された後には、前記ステップ８の判別結果がＹＥＳになり、その場合には、ステップ１２に進み、全閉時間ＴＢＰＣが第１所定時間ＴＲＥＦ１（例えば１〜１０秒（より好ましくは５秒））以上か否かを判別する。
【００３７】
この判別結果がＮＯで、ＴＢＰＣ＜ＴＲＥＦ１のとき、すなわちバイパス弁１３の全閉制御の開始後、第１所定時間ＴＲＥＦ１が経過していないときには、吸気温ＴＡがまだ安定していないとして、本処理を終了する。
【００３８】
一方、前記ステップ１２の判別結果がＹＥＳで、ＴＢＰＣ≧ＴＲＥＦ１のときには、吸気温ＴＡが安定した状態になったとして、このときの吸気温ＴＡを全閉温度Ｔ１（パラメータ）として記憶する（ステップ１３）。そして、全閉モードが終了したことを表すために、全閉モード終了フラグＦ＿ＢＰを「１」にセットし（ステップ１４）、本処理を終了する。
【００３９】
また、このステップ１４が実行された後には、前記ステップ７の判別結果がＹＥＳになり、その場合には、ステップ１５に進み、バイパス弁全開フラグＦ＿ＢＰＯが「１」であるか否かを判別する。この判別結果がＮＯのときには、ステップ１６において、バイパス弁アクチュエータ１３ａに駆動信号を出力することによって、バイパス弁１３を全開状態に制御する（以下「全開制御」という）とともに、バイパス弁全開フラグＦ＿ＢＰＯを「１」に、バイパス弁全閉フラグＦ＿ＢＰＣを「０」に、それぞれセットする（ステップ１７）。次に、バイパス弁１３の全開制御を開始した後の経過時間（以下「全開時間」という）ＴＢＰＯを計測するためのアップカウント式のタイマをスタートさせた（ステップ１８）後、本処理を終了する。
【００４０】
また、前記ステップ１７が実行された後には、前記ステップ１５の判別結果がＹＥＳになり、その場合には、ステップ１９に進み、全開時間ＴＢＰＯが第２所定時間ＴＲＥＦ２（例えば１〜１０秒（より好ましくは５秒））以上か否かを判別する。
【００４１】
この判別結果がＮＯで、ＴＢＰＯ＜ＴＲＥＦ２のときには、吸気温ＴＡがまだ安定していないとして、本処理を終了する。一方、前記ステップ１９の判別結果がＹＥＳで、ＴＢＰＯ≧ＴＲＥＦ２のときには、吸気温ＴＡが安定した状態になったとして、このときの吸気温ＴＡを全開温度Ｔ２（パラメータ）として記憶し（ステップ２０）、全閉モード終了フラグＦ＿ＢＰを「０」にセットする（ステップ２１）。
【００４２】
次に、ステップ１３で記憶した全閉温度Ｔ１とステップ２０で記憶した全開温度Ｔ２との差（＝Ｔ１−Ｔ２）を、吸気温変化量ΔＴＡ（パラメータ）として算出する（ステップ２２）。次に、水温補正係数ＫＴＷおよび吸入空気量補正係数ＫＱＡを算出する（ステップ２３）。これらの算出は、エンジン水温ＴＷおよび吸入空気量ＱＡにそれぞれ応じ、テーブル（いずれも図示せず）を検索することによって、行われる。次いで、この吸気温変化量ΔＴＡに水温補正係数ＫＴＷおよび吸入空気量補正係数ＫＱＡを乗算することによって、補正後吸気温変化量ΔＴＡＣを算出する（ステップ２４）。
【００４３】
この補正は、吸気温変化量ΔＴＡを、エンジン水温ＴＷおよび吸入空気量ＱＡが所定の基準状態にあるときの値に換算するためのものである。すなわち、減速運転中においては、エンジン３で燃焼が行われないため、ＥＧＲガスの温度は低く、ＥＧＲガスは、ＥＧＲクーラ１１を流れる際にエンジン３の冷却水により暖められる。また、そのときのＥＧＲガスの温度上昇の度合は、エンジン水温ＴＷが高いほど、また、吸入空気量ＱＡが少ないほど、より高い傾向にある。このため、上記のテーブルでは、水温補正係数ＫＴＷは、エンジン水温ＴＷが高いほど、より小さな値に設定され、また、吸入空気量補正係数ＫＱＡは、吸入空気量ＱＡが少ないほど、より小さな値に設定されている。
【００４４】
なお、上記のＫＴＷ×ＫＱＡに相当する補正係数を、エンジン水温ＴＷおよび吸入空気量ＱＡに応じてあらかじめマップ化し、実際のＴＷ値およびＱＡ値に応じ、このマップを検索することによって、求めてもよい。
【００４５】
次に、ステップ２４で算出した補正後吸気温変化量ΔＴＡＣが所定の基準値ＴＬＭＴ以上であるか否かを判別する（ステップ２５）。この基準値ＴＬＭＴは、バイパス弁１３が正常であり、かつエンジン水温ＴＷおよび吸入空気量ＱＡが所定の基準状態にあるときの、全閉時と全開時との間の吸気温の変化量に相当する。
【００４６】
この判別結果がＹＥＳで、ΔＴＡＣ≧ＴＬＭＴのときには、バイパス弁１３の全閉制御時と全開制御時との間で吸気温ＴＡが大きく変化しているため、バイパス弁１３が正常であると判定し、バイパス弁異常フラグＦ＿ＢＰＮＧを「０」にセットする（ステップ２６）。そして、異常判定が終了したことを表すために、判定中フラグＦ＿ＢＰＡを「０」にセットし（ステップ２７）、本処理を終了する。
【００４７】
一方、前記ステップ２５の判別結果がＮＯで、ΔＴＡＣ＜ＴＬＭＴのときには、バイパス弁１３の全閉制御時と全開制御時との間で吸気温ＴＡが大きく変化していなければならないのに対し、実際にはそうなっていないため、バイパス弁１３に異常が生じていると判定する。そして、そのことを表すためにバイパス弁異常フラグＦ＿ＢＰＮＧを「１」にセットした（ステップ２８）後、前記ステップ２７を実行し、本処理を終了する。
【００４８】
なお、上記の例では、検出した吸気温変化量ΔＴＡをエンジン水温ＴＷおよび吸入空気量ＱＡに応じて補正する一方、それと比較される基準値ＴＬＭＴを所定値に設定しているが、これとは逆に、吸気温変化量ΔＴＡをそのまま用い、基準値ＴＬＭＴを補正してもよい。この場合、例えば、バイパス弁１３が正常である場合の、エンジン水温ＴＷおよび吸入空気量ＱＡに応じた、全閉時の吸気温マップおよび全開時の吸気温マップをあらかじめ設定し、検出したエンジン水温ＴＷおよび吸入空気量ＱＡに応じて、これらの吸気温マップから、全閉時および全開時の吸気温ＴＡを求め、両者の差を基準値ＴＬＭＴとして設定すればよい。
【００４９】
以上のように、本実施形態によれば、エンジン３の減速運転中、ＥＧＲ弁１０を全開に保持した状態で、バイパス弁１３を全閉制御したときの吸気温ＴＡ（全閉温度Ｔ１）を求め、次いで、バイパス弁１３を全開制御したときの吸気温ＴＡ（全開温度Ｔ２）を求め、基本的に、両者の差である吸気温変化量ΔＴＡ（＝Ｔ１−Ｔ２）を基準値ＴＬＭＴと比較することによって、バイパス弁１３の異常判定を実行する。エンジン３の減速運転中では、バイパス弁１３が正常であれば、ＥＧＲガスは、バイパス弁１３の全閉制御時にＥＧＲクーラ１１を通る際に暖められるので、吸気温ＴＡは、バイパス弁１３の開閉制御に伴って所定の範囲で変化する。
【００５０】
したがって、吸気温変化量ΔＴＡが基準値ＴＬＭＴよりも小さいときに、バイパス弁１３に異常が生じていると判定することができる。また、吸気温変化量ΔＴＡをパラメータとしてバイパス弁１３の異常判定を行うので、吸入空気量をパラメータとする従来のＥＧＲ装置と異なり、吸気管４の脈動やエアクリーナの詰まりなどの影響を受けることなく、異常判定を適切に行うことができる。さらに、エンジン３を制御するための既存の吸気温センサ３２を利用しているので、異常判定のための専用のセンサなどを付加する必要がなく、それにより、製造コストを削減することができる。また、吸気温変化量ΔＴＡをエンジン水温ＴＷおよび吸入空気量ＱＡに応じて補正した補正後吸気温変化量ΔＴＡＣを、基準値ＴＬＭＴと比較するので、バイパス弁１３の全閉制御時に、ＥＧＲクーラ１１により暖められるＥＧＲガスの温度上昇の度合を反映させながら、異常判定をより精度良く行うことができる。
【００５１】
さらに、異常判定をエンジン３の減速運転中に実行することによって、燃焼によるＥＧＲガス温度の上昇の影響などを確実に排除できるとともに、異常の判定を吸気絞り弁８を全閉に制御した状態で実行することによって、吸気絞り弁８よりも上流側からの吸気温ＴＡへの影響も確実に排除できるので、異常判定をより精度良く行うことができる。また、このようにエンジン３の減速運転中に異常判定を行った場合でも、吸気絞り弁８を全閉に制御することによって、排気管５への冷たい空気の流入を抑制し、触媒装置１４の冷却を抑制できるので、それにより、エミッションの悪化を防止することができる。
【００５２】
図４および図５は、バイパス弁１３の異常判定処理の変形例を示している。上述した図２および図３に示す実施形態の異常判定処理では、異常判定がエンジン３の減速運転中に実行されるのに対し、本処理では、異常判定をエンジン３のアイドル運転中またはクルーズ運転中に実行する点が大きく異なる。したがって、以下の説明では、実施形態の異常判定処理と同じ実行内容については、図面に同一のステップ番号を付し、異なる実行内容を中心として説明を行うものとする。本処理ではまず、ステップ３１において、エンジン３がアイドル運転中またはクルーズ運転中であるか否かを判別する。この判別結果がＮＯで、エンジン３がアイドル運転中またはクルーズ運転中でないときには、異常判定を実行することなく、そのまま本処理を終了する。
【００５３】
一方、前記ステップ３１の判別結果がＹＥＳで、エンジン３がアイドル運転中またはクルーズ運転中のときには、異常判定の他の実行条件が成立し（ステップ２：ＹＥＳ）、かつ判定中フラグＦ＿ＢＰＡが「１」でないとき（ステップ３：ＮＯ）に、吸気絞り弁８を半開状態の所定の開度に制御する（ステップ３４）。これは、アイドル運転中またはクルーズ運転中におけるエンジン３の燃焼を確保するためである。次いで、実施例と同様、ＥＧＲ弁１０を全開状態に制御する（ステップ５）とともに、判定中フラグＦ＿ＢＰＡを「１」にセットする（ステップ６）。
【００５４】
次に、実施形態と同様、ステップ７〜１４を実行し、バイパス弁１３を全閉制御するとともに、全閉制御の開始後、所定時間ＴＲＥＦ１が経過したときの吸気温ＴＡを全閉温度Ｔ１として記憶する。次いで、ステップ１５〜２１を実行し、バイパス弁１３を全開制御するとともに、全開制御の開始後、所定時間ＴＲＥＦ２が経過したときの吸気温ＴＡを全開温度Ｔ２として記憶する。
【００５５】
次に、全開温度Ｔ２と全閉温度Ｔ１との差（＝Ｔ２−Ｔ１）を、吸気温変化量ΔＴＡとして算出する（ステップ５２）。このように、吸気温変化量ΔＴＡは、実施形態ではＴ１−Ｔ２として算出されるのに対し、変形例ではＴ２−Ｔ１として算出される。これは、アイドル運転中またはクルーズ運転中では、エンジン３の燃焼が行われていて、ＥＧＲガスの温度が高いため、バイパス弁１３の全閉制御時に、ＥＧＲガスがＥＧＲクーラ１１を通る際に冷却されるためである。
【００５６】
次いで、ステップ２３および２４を実行し、吸気温変化量ΔＴＡに水温補正係数ＫＴＷおよび吸入空気量補正係数ＫＱＡを乗算することによって、補正後吸気温変化量ΔＴＡＣを算出する。この補正もまた、実施形態と同様、吸気温変化量ΔＴＡを、エンジン水温ＴＷおよび吸入空気量ＱＡが所定の基準状態にあるときの値に換算するためのものである。このため、ＥＧＲガスがＥＧＲクーラ１１によって冷却されるときの温度下降の度合を考慮して、水温補正係数ＫＴＷは、エンジン水温ＴＷが低いほど、より小さな値に設定され、また、吸入空気量補正係数ＫＱＡは、吸入空気量ＱＡが多いほど、より小さな値に設定されている。
【００５７】
次に、実施形態と同様、ステップ２５〜２８を実行し、補正後吸気温変化量ΔＴＡＣ≧基準値ＴＬＭＴのときには、バイパス弁１３が正常であると判定する一方、ΔＴＡＣ＜ＴＬＭＴのときには、バイパス弁１３に異常が生じていると判定する。
【００５８】
以上のように、変形例によれば、エンジン３のアイドル運転中またはクルーズ運転中において、ＥＧＲ弁１０を全開に保持した状態で、バイパス弁１３の全閉制御時と全開制御時との吸気温変化量ΔＴＡ（＝Ｔ２−Ｔ１）を基準値ＴＬＭＴと比較することによって、バイパス弁１３の異常を判定する。エンジン３のアイドル運転中またはクルーズ運転中では、バイパス弁１３が正常であれば、ＥＧＲガスは、バイパス弁１３の全閉制御時にＥＧＲクーラ１１を通る際に冷却される。したがって、吸気温変化量ΔＴＡと基準値ＴＬＭＴとの比較結果に基づいて、バイパス弁１３の異常を適切に判定することができ、実施形態と同様の効果を得ることができる。
【００５９】
また、アイドル運転中またはクルーズ運転中では、エンジン３の運転状態が比較的安定しているので、吸気絞り弁８を半開状態の所定の開度に保持しても、運転に支障を来すことがないとともに、ＥＧＲガスの量や温度も比較的安定しているので、異常判定を精度良く行うことができる。
【００６０】
なお、本発明は、説明した実施形態に限定されることなく、種々の態様で実施することができる。例えば、実施形態では、ＥＧＲ弁１０の全開時で、かつバイパス弁１３を全閉制御および全開制御したときの吸気温（全閉温度Ｔ１および全開温度Ｔ２）をパラメータとして用いているが、これに加えて、ＥＧＲ弁１０を全閉にしたときの吸気温Ｔ０をパラメータとして用い、これらの温度を比較してもよい。その場合、例えば、減速運転中において、バイパス弁１３が閉側に固着した状態で故障している場合には、バイパス弁１３の開閉制御にかかわらず、ＥＧＲ弁１０の全開時に、ＥＧＲガスが、ＥＧＲクーラ１１によって暖められるので、Ｔ０≠Ｔ１≒Ｔ２が成立することによって、バイパス弁１３の故障が閉側の故障であると特定できる。一方、バイパス弁１３が開側に固着した状態で故障している場合には、バイパス弁１３の開閉制御にかかわらず、ＥＧＲ弁１０の全開時に、ＥＧＲガスが、ＥＧＲクーラ１１をバイパスするので、Ｔ０≒Ｔ１≒Ｔ２が成立することによって、バイパス弁１３の故障が開側の故障であると特定できる。
【００６１】
また、実施形態のバイパス弁１３は、その開度が全閉と全開との間で可変のタイプのものであるが、バイパス通路１２を単純に開閉するタイプのものでもよい。さらに、実施形態では、異常判定の際に、バイパス弁１３を全閉制御した後に全開制御しているが、その順序を逆にしてよいことは、もちろんである。また、本発明による異常判定は、車両の走行時はもとより、車両のメンテナンス時や工場出荷時に実施することが可能である。
【００６２】
さらに、本発明は、車両に搭載されたディーゼルエンジンに限らず、ガソリンエンジンにも適用することができる。また、本発明は、クランク軸が鉛直方向に配置された船外機などのような船舶推進機用エンジンを含む、様々な産業用の内燃機関に適用できることはもちろんである。その他、本発明の趣旨の範囲内で、細部の構成を適宜、変更することが可能である。
【図面の簡単な説明】
【００６３】
【図１】本発明のＥＧＲ装置およびこれを適用した内燃機関の概略構成を示す図である。
【図２】バイパス弁の異常判定処理を示すフローチャートである。
【図３】図２の続きを示すフローチャートである。
【図４】バイパス弁の異常判定処理の変形例を示すフローチャートである。
【図５】図４の続きを示すフローチャートである。
【符号の説明】
【００６４】
１  ＥＧＲ装置
２  ＥＣＵ（バイパス弁異常判定手段および減速運転判定手段）
３  エンジン（内燃機関）
４  吸気管（吸気系）
８  吸気絞り弁
９  ＥＧＲ通路
１０  ＥＧＲ弁
１１  ＥＧＲクーラ
１２  バイパス通路
１３  バイパス弁
１３ａ  バイパス弁アクチュエータ（バイパス弁駆動手段）
３２  吸気温センサ（温度検出手段）
ＴＡ  吸気温（吸気系の温度）
ＱＡ  吸入空気量
Ｔ１  全閉温度（パラメータ）
Ｔ２  全開温度（パラメータ）
ΔＴＡ  吸気温変化量（パラメータ）
【図１】
2006291921.tif 000003
【図２】
2006291921.tif 000004
【図３】
2006291921.tif 000005
【図４】
2006291921.tif 000006
【図５】
2006291921.tif 000007